(57)【要約】      （修正有）【課題】消費者が表示を視認しやすい包装資材を提供する。【解決手段】包装資材（１）は、物品を包装するための本体部（１０）と、本体部（１０）からＹ方向に突出する側方突出部（２０）と、を含む。側方突出部（２０）は、ＸＹ平面に対して斜めの側方突出傾斜面部（２３）を備える。【選択図】図３
0003210480.tif 000002
【実用新案登録請求の範囲】
【請求項１】
陳列棒に吊下げられる物品を包装するための本体部と、
前記本体部に突設された突出部と、を備える包装資材であって、
前記突出部は、前記物品が吊下げられた状態において水平であると共に前記物品の厚み方向に直交する第１方向に突出する第１突出部を含み、
前記第１突出部は、前記物品の関連情報を表示するための、前記物品が吊下げられた状態における水平面に対して斜めの第１傾斜表示面部を備えることを特徴とする包装資材。
【請求項２】
前記物品が吊下げられた状態において鉛直である第２方向の一方側の前記第１傾斜表示面部の一端は、前記第２方向の前記一方側の前記本体部の一端と、前記物品が吊下げられた状態における水平面に整列することを特徴とする請求項１に記載の包装資材。
【請求項３】
前記第２方向の前記第１突出部の両端はそれぞれ、前記第２方向の前記本体部の両端と、前記物品が吊下げられた状態における水平面に整列することを特徴とする請求項２に記載の包装資材。
【請求項４】
前記本体部は、前記物品の関連情報を表示するための、前記物品が吊下げられた状態において鉛直であると共に、前記第１傾斜表示面部に垂直な方向から見て前記第１傾斜表示面部と接触または分離している鉛直表示面部を含むことを特徴とする請求項１または２に記載の包装資材。
【請求項５】
前記本体部は、前記物品の関連情報を表示するための、前記物品が吊下げられた状態において水平であると共に、前記第１傾斜表示面部と連続する水平表示面部を含むことを特徴とする請求項１〜４の何れか１項に記載の包装資材。
【請求項６】
前記突出部は、さらに、前記物品が吊下げられた状態において鉛直である第２方向に突出する第２突出部を含み、
前記第２突出部は、前記物品の関連情報を表示するための、前記物品が吊下げられた状態における水平面に対して斜めの第２傾斜表示面部を備え、
前記第１方向の一方側の前記第２傾斜表示面部の一端は、前記第１方向の前記一方側の前記本体部の一端と、前記物品が吊下げられた状態における鉛直面に整列することを特徴とする請求項１〜４の何れか１項に記載の包装資材。
【請求項７】
陳列棒に吊下げられる物品を包装するための本体部と、
前記本体部に突設された突出部と、を備える包装資材であって、
前記突出部は、前記物品が吊下げられた状態において鉛直である第２方向に突出する第２突出部を含み、
前記第２突出部は、前記物品の関連情報を表示するための、前記物品が吊下げられた状態における水平面に対して斜めの第２傾斜表示面部を備え、
前記物品が吊下げられた状態において水平であると共に前記物品の厚み方向に直交する第１方向の一方側の前記第２傾斜表示面部の一端は、前記第１方向の前記一方側の前記本体部の一端と、前記物品が吊下げられた状態における鉛直面に整列することを特徴とする包装資材。
【請求項８】
前記本体部は、前記物品の前面の一部または全部を覆う本体前面部を備え、
前記突出部は、前記本体前面部と面一に、前記本体前面部と連続するまたは部分的に重畳する突出前面部を備えることを特徴とする請求項１〜７の何れか１項に記載の包装資材。
【請求項９】
請求項１〜８の何れか１項に記載の包装資材により、前記物品が包装された包装体。
【考案の詳細な説明】
【技術分野】
【０００１】
本考案は、包装資材と、前記包装資材により物品が包装された包装体と、に関する。
【背景技術】
【０００２】
売り場では、陳列スペースに多くの商品を陳列することが要求されている。このため、商品は、陳列棒に複数吊り下げられたり、陳列棚に複数積み上げられたり、している。
【０００３】
さらに、売り場では、商品を見やすく陳列することも、要求されている。特に、サイズなどの異なる複数の商品を同一の陳列スペースに、重ねて置いたり、重ねて吊るしたりする場合に、それぞれの商品のサイズなどの特徴が見やすく、容易に商品を選択できることが要求されている。このため、例えば、特許文献１，２のような包装体が提案されている。特許文献１は、サイズ表示タブの取り付け位置がサイズ毎に異なる包装体について、記載している。特許文献２は、型崩れしにくい包装体について、記載している。
【先行技術文献】
【特許文献】
【０００４】
【特許文献１】実開平６−６２８０（１９９４年０１月２５日公開）
【特許文献２】特許第４９２６２０３号公報（２０１２年０２月１７日登録）
【考案の概要】
【考案が解決しようとする課題】
【０００５】
しかしながら、上述のような従来技術には、陳列棒に複数の商品を吊下げると、消費者が商品を包装している包装資材の表示を視認しにくいという問題があった。なぜならば、包装資材の前面および後面は、通常、商品の関連情報を表示可能な最も広い面であるが、しかし、陳列棒の端を除いて、一緒に吊下げられた他の商品により隠されるからである。また、包装資材の前面および後面は、商品の側方にいる消費者の目線に対して略平行になる。このため、商品の何れの方向にいる消費者からも、前面および後面の表示は視認されにくい。また、包装資材のその他の面は、関連情報を表示可能ではあるが、しかし、狭いので表示が小さい上に、さらに、水平面または鉛直面なので商品の側方にいる消費者の目線に対して斜めになる。また、包装資材のその他の面は、商品の前方または後方にいる消費者の目線に対して略平行になる。このため、商品の何れの方向にいる消費者からも、包装資材のその他の面の表示も視認されにくい。
【０００６】
本考案は、上記の問題に鑑みてなされたものであり、その目的は、消費者が表示を視認しやすい包装資材を実現することにある。
【課題を解決するための手段】
【０００７】
上記の課題を解決するために、本考案の一態様に係る包装資材は、陳列棒に吊下げられる物品を包装するための本体部と、前記本体部に突設された突出部と、を備える包装資材であって、前記突出部は、前記物品が吊下げられた状態において水平であると共に前記物品の厚み方向に直交する第１方向に突出する第１突出部を含み、前記第１突出部は、前記物品の関連情報を表示するための、前記物品が吊下げられた状態における水平面に対して斜めの第１傾斜表示面部を備える構成である。
【０００８】
上記構成によれば、包装資材は、水平であると共に厚み方向に直交する第１方向に突出するように、本体部に突設された第１突出部を備える。第１突出部を備えない包装資材で包装された物品と、第１突出部を備える上記構成の包装資材で包装された物品と、が同じ陳列棒に掛けられた場合、第１突出部は、重なり合った物品から水平方向に飛び出して見える。このため、上記構成の包装資材の方が、物品の厚み方向（物品の前方および後方）および第１方向の第１突出部が突出している側（物品の側方）にいる消費者に視認されやすい。
【０００９】
上記構成によれば、第１突出部は、物品の関連情報を表示するための、水平面に対し斜めの第１傾斜表示面部を備える。物品は、通常、消費者の目よりも上または下に、吊下げられる。このため、水平面および鉛直面よりも、このような第１傾斜表示面部は、消費者の目線に対して直角に近いので、物品の側方にいる消費者は、水平または鉛直な表示面部の表示よりも、第１傾斜表示面部の表示を視認しやすい。
【００１０】
したがって、上記構成によれば、消費者が表示を視認しやすい包装資材を実現することができる。
【００１１】
本考案の一態様に係る包装資材によれば、前記物品が吊下げられた状態において鉛直である第２方向の一方側の前記第１傾斜表示面部の一端は、前記第２方向の前記一方側の前記本体部の一端と、前記物品が吊下げられた状態における水平面に整列する構成が好ましい。
【００１２】
上記構成によれば、第２方向の一方側の第１傾斜表示面部の一端は、第２方向の前記一方側の本体部の一端と、同一水平面に整列する。このため、第１傾斜表示面部の該一端よりも、本体部の該一端が、第２方向の前記一方側にある場合と比較して、第１斜表示面部が消費者の目に近づき、大きく見えるようになるので、物品の側方にいる消費者は、第１斜表示面部の表示を視認しやすい。また、第１傾斜表示面部の該一端が、本体部の該一端よりも、第２方向の前記一方側にある場合と比較して、第１突出部と本体部との一体度が高いので、第１突出部の機械的強度および審美性を向上することができる。
【００１３】
したがって、上記構成によれば、物品の側方にいる消費者が表示をさらに視認しやすい包装資材を実現することができる。
【００１４】
本考案の一態様に係る包装資材によれば、前記第２方向の前記第１突出部の両端はそれぞれ、前記第２方向の前記本体部の両端と、前記物品が吊下げられた状態における水平面に整列する構成が好ましい。
【００１５】
上記構成によれば、第２方向の第１突出部の両端はそれぞれ、第２方向の本体部の両端と、同一水平面に整列する。このため、両端または一端が整列しない場合と比較して、第１突出部と本体部との一体度が高いので、第１突出部の機械的強度および審美性を向上することができる。
【００１６】
本考案の一態様に係る包装資材によれば、前記本体部は、前記物品の関連情報を表示するための、前記物品が吊下げられた状態において鉛直であると共に、前記第１傾斜表示面部に垂直な方向から見て前記第１傾斜表示面部と接触または分離している鉛直表示面部を含む構成が好ましい。
【００１７】
上記構成によれば、本体部は、物品の関連情報を表示するための鉛直表示面部を含み、鉛直表示面は、物品が吊下げられた状態において鉛直であると共に、第１傾斜表示面部に垂直な方向から見て第１傾斜表示面部と接触または分離している。このため鉛直表示面部は、第１傾斜表示面部に垂直な方向から見て、第１傾斜表示面部に隠れない。
【００１８】
本考案の一態様に係る包装資材によれば、前記本体部は、前記物品の関連情報を表示するための、前記物品が吊下げられた状態において水平であると共に、前記第１傾斜表示面部と連続する水平表示面部を含む構成が好ましい。
【００１９】
上記構成によれば、本体部は、前記物品の関連情報を表示するための水平表示面部をふくみ、水平表示面部は、物品が吊下げられた状態において水平であると共に、第１傾斜表示面部と連続する。このため、第１傾斜表示面部と水平表示面部とは、１つの表示面部として機能することができる。これにより、物品の側方にいる消費者が視認しやすい、広い表示面部を確保することができる。
【００２０】
本考案の一態様に係る包装資材によれば、前記突出部は、さらに、前記物品が吊下げられた状態において鉛直である第２方向に突出する第２突出部を含み、前記第２突出部は、前記物品の関連情報を表示するための、前記物品が吊下げられた状態における水平面に対して斜めの第２傾斜表示面部を備え、前記第１方向の一方側の前記第２傾斜表示面部の一端は、前記第１方向の前記一方側の前記本体部の一端と、前記物品が吊下げられた状態における鉛直面に整列する構成としてもよい。
【００２１】
上記構成によれば、包装資材は、さらに、鉛直である第２方向に突出するように、本体部に突設された第２突出部を備える。第２突出部を備えない包装資材で包装された物品と、第２突出部を備える上記構成の包装資材で包装された物品と、が同じ陳列棒に掛けられた場合、第２突出部は、重なり合った物品から鉛直方向に飛び出して見える。このため、上記構成の包装資材の方が、物品の厚み方向（物品の前方および後方）および第１方向の第１突出部が突出している側（物品の側方）にいる消費者に視認されやすい。
【００２２】
上記構成によれば、第２突出部は、物品の関連情報を表示するための、水平面に対し斜めの第２傾斜表示面部を備える。物品は、通常、消費者の目よりも上または下に、吊下げられる。このため、水平面および垂直面よりも、このような第２傾斜表示面部は、消費者の目線に対して直角に近いので、物品の側方にいる消費者は、水平または鉛直な表示面部の表示よりも、第２傾斜表示面部の表示を視認しやすい。
【００２３】
さらに、上記構成によれば、第１方向の一方側の第２傾斜表示面部の一端は、第１方向の前記一方側の本体部の一端と、同一鉛直面に整列する。このため、第２傾斜表示面部の該一端よりも、本体部の該一端が、第１方向の前記一方側にある場合と比較して、第２斜表示面部が消費者の目に近づき、大きく見えるようになるので、物品の側方にいる消費者は、第２斜表示面部の表示を視認しやすい。また、第２傾斜表示面部の該一端が、本体部の該一端よりも、第１方向の前記一方側にある場合と比較して、第２突出部と本体部との一体度が高いので、第２突出部の機械的強度および審美性を向上することができる。
【００２４】
したがって、上記構成によれば、消費者が表示をさらに視認しやすい包装資材を実現することができる。
【００２５】
上記の課題を解決するために、本考案の別の一態様に係る包装資材は、陳列棒に吊下げられる物品を包装するための本体部と、前記本体部に突設された突出部と、を備える包装資材であって、前記突出部は、前記物品が吊下げられた状態において鉛直である第２方向に突出する第２突出部を含み、前記第２突出部は、前記物品の関連情報を表示するための、前記物品が吊下げられた状態における水平面に対して斜めの第２傾斜表示面部を備え、前記物品が吊下げられた状態において水平であると共に前記物品の厚み方向に直交する第１方向の一方側の前記第２傾斜表示面部の端は、前記第１方向の前記一方側の前記本体部の端と、前記物品が吊下げられた状態における鉛直面に整列する構成である。
【００２６】
上記構成によれば、包装資材は、鉛直である第２方向に突出するように、本体部に突設された第２突出部を備える。第２突出部を備えない包装資材で包装された物品と、第２突出部を備える上記構成の包装資材で包装された物品と、が同じ陳列棒に掛けられた場合、第２突出部は、重なり合った物品から鉛直方向に飛び出して見える。このため、上記構成の包装資材の方が、物品の厚み方向（物品の前方および後方）および第１方向の第１突出部が突出している側（物品の側方）にいる消費者に視認されやすい。
【００２７】
上記構成によれば、第２突出部は、物品の関連情報を表示するための、水平面に対し斜めの第２傾斜表示面部を備える。物品は、通常、消費者の目よりも上または下に、吊下げられる。このため、水平面および垂直面よりも、このような第２傾斜表示面部は、消費者の目線に対して直角に近いので、物品の側方にいる消費者は、水平または鉛直な表示面部の表示よりも、第２傾斜表示面部の表示を視認しやすい。
【００２８】
したがって、上記構成によれば、消費者が表示を視認しやすい包装資材を実現することができる。
【００２９】
さらに、上記構成によれば、第１方向の一方側の第２傾斜表示面部の一端は、第１方向の前記一方側の本体部の一端と、同一鉛直面に整列する。このため、第２傾斜表示面部の該一端よりも、本体部の該一端が、第１方向の前記一方側にある場合と比較して、第２斜表示面部が消費者の目に近づき、大きく見えるようになるので、物品の側方にいる消費者は、第２斜表示面部の表示を視認しやすい。また、第２傾斜表示面部の該一端が、本体部の該一端よりも、第１方向の前記一方側にある場合と比較して、第２突出部と本体部との一体度が高いので、第２突出部の機械的強度および審美性を向上することができる。
【００３０】
したがって、上記構成によれば、物品の側方にいる消費者が表示をさらに視認しやすい包装資材を実現することができる。
【００３１】
本考案の一態様または別の一態様に係る包装資材によれば、前記本体部は、前記物品の前面の一部または全部を覆う本体前面部を備え、前記突出部は、前記本体前面部と面一に、前記本体前面部と連続するまたは部分的に重畳する突出前面部を備える構成が好ましい。
【００３２】
上記構成によれば、本体部は、物品の前面の一部または全部を覆う本体前面部を備え、突出部は、前記本体前面部と面一に、前記本体前面部と連続するまたは部分的に重畳する突出前面部を備える。消費者が前面から物品を見たときに、包装材の本体部と突出部とが面一に、隙間がないように見える。このため、包装材の審美性を向上することができる。さらに、本体前面部と突出前面部とは、１つの表示面部として機能することができる。
【００３３】
上記の課題を解決するために、本考案の一態様に係る包装体は、本考案の一態様または別の一態様に係る包装資材により、前記物品が包装された構成である。
【００３４】
上記構成によれば、上本考案の一態様または別の一態様に係る包装資材により、物品が包装された包装体を実現することができる。
【考案の効果】
【００３５】
本考案は、消費者が表示を視認しやすい包装資材を実現することができるという効果を奏する。
【図面の簡単な説明】
【００３６】
【図１】本考案の一実施形態に係る包装資材によって衣料品が包装された包装体を、ハンガーによって陳列棒に吊下げられた状態で、示す斜視図である。
【図２】図１に示したハンガーの概略構成を示す斜視図である。
【図３】図１に示した包装資材の概略構成を示す斜視図である。
【図４】図１に示した包装体が１本の陳列棒に複数吊下げられている状態を示す斜視図である。
【図５】図３に示した包装資材の幾つかの変形例を説明するための前面図である。
【図６】図３に示した包装資材の幾つかの変形例を説明するための上面図である。
【図７】図１に示した包装資材の一実施例の組立前の概略構成を示す展開図である。
【図８】図７に展開した包装資材の組立後の概略構成を示す（ａ）前面図および（ｂ）Ａ−Ａ矢視側面図である。
【図９】図１に示した包装資材の別の一実施例の組立前の概略構成を示す展開図である。
【図１０】図９に展開した包装資材の組立後の概略構成を示す（ａ）前面図および（ｂ）Ｂ−Ｂ矢視断面図である。
【図１１】本考案の別の一実施形態に係る包装資材の概略構成を示す斜視図である。
【図１２】図１１に示した包装資材によって衣料品が包装された包装体を、ハンガーによって陳列棒に吊下げられた状態で、示す斜視図である。
【図１３】図１１に示した包装資材の幾つかの変形例を説明するための前面図である。
【図１４】本考案のさらに別の一実施形態に係るに係る包装資材の概略構成を示す斜視図である。
【図１５】図１４に示した包装資材によって衣料品が包装された包装体を、ハンガーによって陳列棒に複数吊下げられた状態で、示す斜視図である。
【図１６】本考案のさらに別の一実施形態に係る包装資材の概略構成を示す斜視図である。
【図１７】図１６に示した包装資材によって衣料品が包装された包装体を、ハンガーによって陳列棒に吊下げられた状態で、示す斜視図である。
【考案を実施するための最良の形態】
【００３７】
以下、本考案の実施の形態について、詳細に説明する。
【００３８】
〔実施形態１〕
本考案の一実施形態について、図１〜図１０に基づいて説明すれば、以下のとおりである。
【００３９】
図１は、斜め前方上側から見た、本実施形態に係る包装資材１によって衣料品２（物品）が包装された包装体３を、ハンガー５（吊下げ具）によって陳列棒４に吊下げられた状態で、示す斜視図である。
【００４０】
本明細書においては、図１に示すように、衣料品２の厚み方向をＸ方向とする。また、包装体３が陳列棒４に吊下げられた状態において水平であると共にＸ方向に直交する方向をＹ方向（第１方向）とする。また、包装体３が陳列棒４に吊下げられた状態において鉛直である方向をＺ方向（第２方向）とする。
【００４１】
衣料品２は、図１において、スパッツであるが、これに限らない。衣料品２は、タイツ、レギンス、ズボン、スカート、下着、腹巻、ネックウォーマ、シャツ（肌着）など、他の衣料品であってもよい。また、包装資材１は、衣料品に限らず、布地、カレンダーなどの他の物品を包装してもよい。
【００４２】
陳列棒４は、図１において、水平な直線状であるが、これに限らない。陳列棒４は、階段状であっても、水平な円環状であっても、その他どのような形状であってもよい。
【００４３】
（ハンガー）
図２は、斜め前方上側から見た、左噛合部５３が開いており、右噛合部５４が閉じてロックされている状態で、図１に示したハンガー５の概略構成を示す斜視図である。
【００４４】
図２に示すように、ハンガー５は、陳列棒４に掛かるための鉤状部５１と、鉤状部５１からＹ方向の両側に伸びる棒状部５２と、棒状部５２の左側（鉤状部５１が開いている側）に配された左噛合部５３と、棒状部５２の右側（鉤状部５１が閉じている側）に配された右噛合部５４とを備える。
【００４５】
左噛合部５３は、衣料品２の前面を押さえるための前部５３ａと、衣料品２の後面を押さえるための後部５３ｂと、前部５３ａと後部５３ｂとが向かい合う閉じた姿勢を保持するためのロック部５３ｃと、を備える。前部５３ａは、回動可能に棒状部５２に固定されており、後部５３ｂは、回動不能に棒状部５２に固定されている。このため、左噛合部５３は、前部５３ａが後部５３ｂと向かい合う閉じた姿勢と、前部５３ａが後部５３ｂから離れる開いた姿勢とを、とることができる。
【００４６】
左噛合部５３と同様に、右噛合部５４も、前部５４ａと後部５４ｂとロック部５４ｃとを備え、閉じた姿勢と開いた姿勢とをとることができる。さらに、挟んだ衣料品２を傷つけないように、左噛合部５３と右噛合部５４との前部５３ａ，５４ａと後部５３ｂ，５４ｂとには、対向する面にクッション材５５が貼られていることが好ましい。
【００４７】
ハンガー５は、左噛合部５３と右噛合部５４との開閉により、衣料品２を脱着可能に保持することができる。なお、衣料品２を吊下げるためのハンガー５は、これに限らず、衣料品２を脱着可能に保持できればよい。
【００４８】
（包装資材）
図３は、斜め前方上側から見た、図１に示した包装資材１の概略構成を示す斜視図である。
【００４９】
図４は、斜め前方上側から見た、図１に示した包装体３が１本の陳列棒４に複数吊下げられている状態を示す斜視図である。
【００５０】
図３に示すように、包装資材１は、衣料品２を包装するための本体部１０と、本体部１０に突設されたＹ方向に突出する側方突出部２０（突出部，第１突出部）と、を備える。
【００５１】
包装資材１の表面の一部または全部は、衣料品２の関連情報を表示するための表示面として活用されている。
【００５２】
（本体部）
本実施形態において、包装資材１の本体部１０は、衣料品２の上端部（ハンガー５に近い方の端部）の右側（ハンガー５の鉤状部５１が閉じている側，一方側）を包装するが、これに限らない。包装資材１の本体部１０は、例えば、衣料品２の上端の全体を包装しても、衣料品２の全体を包装しても、あるいは、衣料品２の他の一部を包装してもよい。
【００５３】
図３に示すように、本体部１０は、衣料品２の前面を覆うための本体前面部１１と、衣料品２の後面を覆うための本体後面部１２と、衣料品２の上端を覆うための本体上面部１３（水平表示面部）と、衣料品２の側端を覆うための本体側面部１４（鉛直表示面部）と、本体前面部１１と本体後面部１２と本体上面部１３とが切り欠かれた本体切欠き部１５と、を備える。
【００５４】
本体前面部１１および本体後面部１２は、ＺＹ平面なので、包装体３が吊下げられた状態において鉛直である。本体前面部１１および本体後面部１２の表面は、通常、包装資材１を構成する表面の内で、最も広い。このため、本体前面部１１および本体後面部１２の表面は、通常、衣料品２の関連情報を表示するための表示面として活用されており、また、様々なデザインが施されていることが多い。
【００５５】
しかしながら、本体前面部１１および本体後面部１２は、最も隠されやすい。例えば、図４のような場合、最前の包装体３の本体前面部１１と、最後の包装体３の本体後面部１２と、のみが消費者から見え、その他の本体前面部１１および本体後面部１２は、隣の別の包装体３によって消費者から隠されている。このように、隠されている場合、包装体３の前方および後方（Ｘ方向）にいる消費者は、本体前面部１１および本体後面部１２の表示を視認できない。また、本体前面部１１と本体後面部１２とは、包装体３の側方（Ｙ方向）にいる消費者にいる消費者の目線に対して略平行になる。このため、本体前面部１１および本体後面部１２の表示は、包装体３の何れの方向にいる消費者からも、視認されにくい。
【００５６】
なお、本明細書において、「前方」という用語は、前方上側および前方下側を含む。同様に、「後方」という用語は、後方上側および上方下側を含む。同様に、「側方」という用語は、側方上側および側方下側を含む。
【００５７】
図３に示すように、本体上面部１３および本体側面部１４は、本体前面部１１を本体後面部１２に結合する。また、本体上面部１３は、ＸＹ平面なので、包装体３が吊下げられた状態において水平面であり、本体側面部１４は、ＸＺ平面なので、包装体３が吊下げられた状態において鉛直面である。本体上面部１３および本体側面部１４の表面は、通常、狭いが、しかし、隠れにくい。例えば、図４のような場合であっても、本体上面部１３および本体側面部１４は、別の包装体３によって隠されることなく、消費者から見える。このため、本体上面部１３および本体側面部１４は、衣料品２の関連情報を表示するための表示面として活用されている場合がある。
【００５８】
しかしながら、狭いので、本体上面部１３および本体側面部１４の表示は、小さい。さらに、水平面または鉛直面であるので、本体上面部１３および本体側面部１４は、消費者の目線に対して斜めになる。
【００５９】
陳列棒４は、例えば一段の場合、消費者の腹〜胸の高さ（例：身長１５０ｃｍ〜１８０ｃｍである消費者を想定して、９０ｃｍ〜１２０ｃｍの高さ）に、配置されることが多い。このほか、２段以上の配置など、陳列棒４の配置は様々であるが、消費者の目の高さ（例：身長１５０ｃｍ〜１８０ｃｍである消費者を想定して、１４０ｃｍ〜１７０ｃｍの高さ）よりも下側に、陳列棒４は配置されることが多い。そして、陳列棒４から吊下げられた包装体３は、さらに下側にあるので、本体上面部１３および本体側面部１４は、消費者から斜めに見下ろされることが多い。
【００６０】
このため、本体上面部１３または本体側面部１４の表示を見るとき、消費者は、小さい表示を斜めに見る。あるいは、本体上面部１３および本体側面部１４が、消費者の目線に対して直交するように、消費者が無理な姿勢をとるか、または、包装体３を持ち上げる。したがって、本体上面部１３または本体側面部１４の表示は、包装体３の何れの方向にいる消費者からも、視認されにくい。
【００６１】
本体切欠き部１５は、ハンガー５（図２参照）の右噛合部５４が、本体部１０の内側から外側へ出るための、開口部である。本体切欠き部１５によって、（ｉ）まず、ハンガー５の棒状部５２および右噛合部５４、ならびに衣料品２の上端部の右側を、本体部１０の内側に挿入し、（ｉｉ）次に、右噛合部５４を本体部１０の内側から外側へ本体切欠き部１５を通って、出し、（ｉｉｉ）続いて、右噛合部５４の前部５４ａと後部５４ｂとの間に、本体前面部１１と衣料品２とを挟むことができる。
【００６２】
このように、左噛合部５４によって、包装資材１は、衣料品２に対して安定する。なお、包装資材１の安定化方法は、これに限らず、衣料品２に縫い留めたり、包装資材１が衣料品２を覆う面積を増やしたり、するなどの他の方法でもよい。
【００６３】
なお、本体部１０の構成は、図３のような構成に限らず、他のどのような構成であってもよい。例えば、本体切欠き部１５が無くても、本体上面部１３が無くても、本体側面部１４が無くてもよい。
【００６４】
（側方突出部）
本実施形態において、包装資材１の側方突出部２０は、右側（ハンガー５の鉤状部５１が閉じている側）に突出することが好ましい。なぜならば、左側（ハンガー５の鉤状部５１が閉じている側）に突出する構成よりも、消費者が包装体３を陳列棒４から外しやすいからである。売り場では、（ｉ）包装体３は、左右両側から消費者から見えるように、陳列されることは少なく、（ｉｉ）片側のみから消費者から見えるように、陳列されることが多い。このため、左側に突出する構成よりも、右側に突出する構成の方が、陳列棒４から外しやすいので、消費者は包装体３を見やすい。
【００６５】
側方突出部２０は、側方突出前面部２１（突出前面部）と側方突出後面部２２と側方突出傾斜面部２３（第１傾斜表示面部）とを備える。
【００６６】
側方突出前面部２１は、扇形である。また、側方突出前面部２１は、本体前面部１１と面一に連続するので、側方突出前面部２１および本体前面部１１の表面は、１つの表示面として活用されることができる。
【００６７】
同様に、側方突出後面部２２も、扇形である。また、側方突出後面部２２も、本体後面部１２と面一に連続するので、側方突出後面部２２および本体後面部１２の表面は、１つの表示面として活用されることができる。
【００６８】
側方突出傾斜面部２３は、矩形である。また、側方突出傾斜面部２３は、ＸＹ平面に対して斜めなので、包装体３が吊下げられた状態において、水平面に対して斜めである。
【００６９】
図３に示される側方突出傾斜面部２３は、包装体３が吊下げられた状態において、その表面を側方（Ｙ方向）の斜め上方に向ける。上述したように、包装体３は、消費者の目線よりも下側に吊下げられることが多いので、側方突出傾斜面部２３は、消費者から斜めに見下ろされることが多い。このため、包装体３が吊下げられた状態において、本体上面部１３および本体側面部１４が消費者の目線に対して成す角度よりも、側方突出傾斜面部２３が消費者の目線に対して成す角度は、直角に近い。したがって、側方突出傾斜面部２３の表示を見るとき、消費者は、表示をほぼ正面から見ることができる。このため、本体上面部１３または本体側面部１４の表示よりも、側方突出傾斜面部２３の表示は、包装体３の側方にいると共に目が側方突出部２０よりも上側にある消費者（以後、包装体３の側方上側にいる消費者）以後、包装体から視認されやすい。
【００７０】
側方突出傾斜面部２３が消費者の目線に対して成す角度が、直角に近いほど、側方突出傾斜面部２３の表示は、包装体３の側方上側にいる消費者から視認されやすい。このため、側方突出傾斜面部２３は、消費者の目線と直交することが好ましい。例えば、９０ｃｍ〜１２０ｃｍの高さに配置された陳列棒から吊下げられた包装体３を、身長１５０ｃｍ〜１８０ｃｍである消費者が、２歩程度（５０〜６０ｃｍ）離れて、見る場合、側方突出傾斜面部２３の高さは８０〜１１０ｃｍが想定され、消費者の目の高さは、１３５ｃｍ〜１６５ｃｍが想定される。したがって、ａｒｃｔａｎ（５５／５５）＝４５°から、目線は水平から約４５°下向きなので、側方突出傾斜面部２３が水平面から傾斜する角度は、約４５°、すなわち、３０°〜６０°の範囲にあることが好ましく、４０°〜５０°の範囲にあることがより好ましい。あるいは、消費者が１歩程度（２５〜３０ｃｍ）離れて、見る場合、ａｒｃｔａｎ（５５／２７．５）＝約６３°から、目線は水平から約６３°下向きなので、側方突出傾斜面部２３が水平面から傾斜する角度は、約２７°、すなわち、１０°〜４０°の範囲にあることが好ましく、２０°〜３０°の範囲にあることがより好ましい。したがって、１歩から２歩程度離れて、包装体３の側方にいる消費者が、側方突出傾斜面部の表示を視認しやすいように、側方突出傾斜面部２３が水平面から傾斜する角度は、１０°〜６０°の範囲にあることが好ましい。
【００７１】
加えて、側方突出傾斜面部２３は、本体部１０から消費者に向って飛び出すので、側方突出傾斜面部２３の表示は、包装体３の側方上側にいる消費者から視認されやすい。仮に、本体部を切り欠いて傾斜面部が設けられた構成では、傾斜面部が、消費者から離れるように引っ込むので、図４のような場合に、隣の別の包装体によって消費者から隠される。したがって、本体部を切り欠いて設けられた傾斜面部の表示よりも、本体部１０に突設された側方突出部２０が備える側方突出傾斜面部２３の表示は、包装体３の側方上側にいる消費者から視認されやすい。
【００７２】
また、図３に示される側方突出傾斜面部２３は、本体上面部１３と連続する。このため、包装体３の側方上側にいる消費者は、本体上面部１３を、側方突出傾斜面部２３と一体に視認することができる。したがって、側方突出傾斜面部２３および本体上面部１３は、１つの表示面として活用されることができる。
【００７３】
また、図３に示される側方突出傾斜面部２３は、本体側面部１４を死角に隠さない。具体的には、側方突出傾斜面部２３に直交する方向から見たときに、本体側面部１４は、側方突出傾斜面部２３と重畳せずに、接触または分離している。このため、消費者は、本体側面部１４の表示を見落とし難い。なお、側方突出傾斜面部２３に直交する方向から見たときに、本体側面部１４が、側方突出傾斜面部２３と重畳する構成であっても、重畳する部分を除いて、本体側面部１４の表面を表示面として活用すれば、同様に、消費者は、本体側面部１４の表示を見落とし難い。
【００７４】
側方突出傾斜面部２３に表示される関連情報には、例えば、スパッツの場合、サイズ、厚さ、丈、マチの有無、および、起毛の有無などがある。
【００７５】
（変形例）
図５は、図３に示した包装資材１の幾つかの変形例を説明するための前面図である。
【００７６】
図６は、図３に示した包装資材１の幾つかの変形例を説明するための上面図である。
【００７７】
（上下位置の変形例）
図３には、図５の（ａ）のように、側方突出部２０の側方突出傾斜面部２３の上端（包装体３が吊下げられた状態で上側になる一端、Ｚ方向の一方側の一端）が、本体部１０の上端（包装体３が吊下げられた状態で上側になる一端、Ｚ方向の一方側の一端）と、ＸＹ平面に整列している構成例を示したが、本実施形態に係る包装資材１の構成例はこれに限らない。
【００７８】
例えば、図５の（ｂ）のように、側方突出傾斜面部２３の上端が、本体部１０の上端とＸＹ平面に整列しておらず、離れていてもよい。したがって、側方突出部２０は、本体部１０の上下方向（Ｚ方向）の任意の位置に、突設されてよい。
【００７９】
また、例えば、図５の（ｃ）のように、側方突出傾斜面部２３の上端が本体部１０の上端とＸＹ平面に整列していると共に、側方突出傾斜面部２３の下端も本体部１０の下端とＸＹ平面に整列していてもよい。この場合、側方突出傾斜面部２３の上下両端は、それぞれ、本体部１０の上下両端と、ＸＹ平面に整列する。このため、上下両端または上端または下端が整列しない場合と比較して、本体部１０と側方突出部２０の一体度が高いので、側方突出部２０の機械的強度および審美性を向上することができる。
【００８０】
なお、図５の（ａ）のように、側方突出傾斜面部２３の上端が本体部１０の上端と整列している構成例は、側方突出傾斜面部２３の上端が、本体部１０の上端より下側にある構成例よりも、消費者の目に近づくので、好ましい。また、側方突出傾斜面部２３の上端が、本体部１０の上端より上側にある構成例よりも、側方突出部２０と本体部１０との一体度が高いのでこのましい。
【００８１】
（前面形状の変形例）
図３には、図５の（ａ）のように、側方突出部２０の前方（Ｘ方向）から見たときの形状（すなわち、側方突出前面部２１の形状）が、扇形である構成例を示したが、本実施形態に係る包装資材１の構成例はこれに限らない。
【００８２】
側方突出部２０の前方から見たときの形状は、水平面に対して傾斜する側方突出傾斜面部２３を設けることができる形状であれば、どのような形状であってもよい。例えば、図５の（ｄ）〜（ｆ）のような三角形であっても、台形であっても、丸みを帯びた形状であっても、図５の（ｇ）〜（ｉ）のような台形であっても、図５の（ｊ）〜（ｌ）のような丸みを帯びた形状であってもよい。
【００８３】
（上面形状の変形例）
図３には、図６の（ａ）のように、側方突出部２０を上方（Ｚ方向）から見たときの形状が、矩形である構成例を示したが、本実施形態に係る包装資材１の構成例はこれに限らない。
【００８４】
側方突出部２０の上方から見たときの形状は、水平面に対して傾斜する側方突出傾斜面部２３を設けることができる形状であれば、どのような形状であってもよい。例えば、図６の（ｂ）〜（ｅ）のように、側方突出前面部２１と側方突出後面部２２との間の間隔が、本体部１０から離れに従って小さくなってもよい。また、例えば、図６の（ｆ）のように、側方突出後面部２２と側方突出傾斜面部２３とが１つの曲面であってもよく、図６の（ｇ）のように、側方突出前面部２１と側方突出後面部２２と側方突出傾斜面部２３とが１つの曲面であってもよい。さらに、例えば、側方突出傾斜面部２３は、１枚または複数枚の平面から構成されても、１枚または複数枚の曲面から構成されても、平面と曲面との組み合わせから構成されてもよい。
【００８５】
（実施例１）
本考案の一実施形態の一実施例について図７〜図８に基づいて説明すれば以下のとおりであった。
【００８６】
図７は、図１に示した包装資材１の一実施例の組立前の概略構成を示す展開図である。
【００８７】
図７に示すように、本実施例の包装資材１は、本体部１０と側方突出部２０とを一体に備えた。また、本体部１０は、本体側面係止部１６を備えた。また、本体後面部１２には、さらに、スリット１６ｂおよびスリット２４ｂが設けられていた。また、側方突出部２０の側方突出後面部２２は、本体後面部１２と重畳する部分を備えると共に、爪２４が設けられていた。
【００８８】
本体側面係止部１６には、爪１６ａが設けられていた。本体側面係止部１６は、本体側面部１４と連続しており、本体側面部１４を本体後面部１２に係止するための係止部である。
【００８９】
図７に示す線Ｌは、側方突出前面部２１と側方突出傾斜面部２３との間の折線に直交すると共に、該折線の端を通る直線であった。
【００９０】
本体側面部１４は、線Ｌが本体前面部１１に突き当たる位置よりも、（包装体３が吊下げられた状態における）下側にあった。
【００９１】
側方突出前面部２１は、本体前面部１１から分岐するように、本体部１０から連続に設けられていた。
【００９２】
図７に展開されている包装資材１は、下記の折線を直角に山折りし、爪１６ａをスリット１６ｂに挿入し、爪２４ａをスリット２４ｂに挿入することによって、図３および図８のように組立てられた。
・本体前面部１１と本体上面部１３との間の折線。
・本体後面部１２と本体上面部１３との間の折線。
・本体前面部１１と本体側面部１４との間の折線。
・本体側面部１４と本体側面係止部１６との間の折線。
・側方突出前面部２１と側方突出傾斜面部２３との間の折線。
・側方突出後面部２２と側方突出傾斜面部２３との間の折線。
【００９３】
図８は、図７に展開した包装資材１の組立後の概略構成を示す（ａ）前面図および（ｂ）Ａ−Ａ矢視側面図である。
【００９４】
図８の（ｂ）に示すように、側方突出傾斜面部に垂直な方向する方向から見たとき、本体上面部１３と側方突出傾斜面部２３と本体側面部１４とは連続した。
【００９５】
（実施例２）
本考案の一実施形態の別の一実施例について、図９〜図１０に基づいて説明すれば、以下のとおりであった。
【００９６】
図９は、図１に示した包装資材１の別の一実施例の組立前の概略構成を示す展開図である。
【００９７】
図９に示すように、本実施例の包装資材１は、本体部１０と側方突出部２０とを一体に備えた。また、本体部１０は、さらに、爪１６ａが設けられた本体側面係止部１６を備えた。また、本体後面部１２には、さらに、スリット１６ｂおよびスリット２４ｂが設けられていた。また、側方突出部２０の側方突出前面部２１は、本体後面部１２と重畳する部分を備えた。また、側方突出部２０は、さらに、側方突出係止部２４を備えた。
【００９８】
側方突出係止部２４には、爪２４ａが設けられていた。側方突出係止部２４は、側方突出前面部２１と連続しており、側方突出前面部２１を本体後面部１２に係止するための係止部である。
【００９９】
側方突出後面部２２は、本体後面部１２から１から分岐するように、本体部１０から連続に設けられていた。
【０１００】
図９に展開されている包装資材１は、下記の折線を直角に山折りし、爪１６ａをスリット１６ｂに挿入し、爪２４ａをスリット２４ｂに挿入することによって、図３および図８のように組立てられた。
・本体前面部１１と本体上面部１３との間の折線。
・本体後面部１２と本体上面部１３との間の折線。
・本体前面部１１と本体側面部１４との間の折線。
・本体側面部１４と本体側面係止部１６との間の折線。
・側方突出前面部２１と側方突出傾斜面部２３との間の折線。
・側方突出後面部２２と側方突出傾斜面部２３との間の折線。
・側方突出前面部２１と側方突出係止部２４との間の折線。
【０１０１】
図１０は、図９に展開した包装資材１の組立後の概略構成を示す（ａ）前面図および（ｂ）Ｂ−Ｂ矢視断面図である。
【０１０２】
図１０の（ｂ）に示すように、側方突出係止部２４は、柱のように、（ｉ）本体前面部１１および側方突出前面部２１と、（ｉｉ）本体後面部１２および側方突出後面部２２と、の間の間隔を保持する一助となっていった。このため、側方突出部２０の厚み（すなわち、側方突出前面部２１と側方突出後面部２２との間の間隔）が潰れにくかった。
【０１０３】
なお、図１０の（ｂ）が示すように、本実施例においては、側方突出前面部２１は、正確に言えば、本体前面部１１と部分的に重畳しているので、本体前面部１１と連続するように見える。本明細書においては、面一に連続する構成は、図１０の（ｂ）のような、正確に言えば、面一に部分的に重畳する構成を含む。
【０１０４】
なお、本考案の範囲は、上述の実施例１，２に限らない。例えば、本体部１０と側方突出部２０とは、別々のパーツとして組み立てられて、アセンブリされてもよい。
【０１０５】
〔実施形態２〕
本考案の別の一実施形態について、図１１〜図１３に基づいて説明すれば、以下のとおりである。
【０１０６】
なお、説明の便宜上、前記実施形態にて説明した部材と同じ機能を有する部材については、同じ符号を付記し、その説明を省略する。
【０１０７】
図１１は、斜め前方上側から見た、本実施形態に係る包装資材６の概略構成を示す斜視図である。
【０１０８】
図１２は、斜め前方下側から見た、図１１に示した包装資材６によって衣料品２（物品）が包装された包装体３´を、ハンガー５によって陳列棒４に吊下げられた状態で、示す斜視図である。
【０１０９】
図１１に示すように、本実施形態に係る包装資材６は、本体部１０と側方突出部２０とを備える。本実施形態に係る包装資材６は、上述の実施形態１に係る包装資材１と異なり、上向きの側方突出傾斜面部２３を備えると共に、さらに、下向きの側方突出傾斜面部２３を備える。本実施形態に係る包装資材６のその他の構成は、上述の実施形態１に係る包装資材１と同様である。
【０１１０】
図１１に示される下向きの側方突出傾斜面部２３は、包装体３が吊下げられた状態において、その表面を側方（Ｙ方向）の斜め下方に向ける。陳列棒４の配置は様々であり、陳列棒４が消費者の目の高さよりも上側に配置されることもある。例えば、２段の配置の場合、下段の陳列棒４は、消費者の目の高さの少し下側に配置され、上段の陳列棒４は、消費者の目の高さのかなり上側に配置される。このような場合、図１２のように、上段の陳列棒４に吊下げられた包装体３´を、消費者は見上げる。このため、下向きの側方突出傾斜面部２３の表示を、包装体３´の側方にいると共に目が側方突出部２０よりも下側にある消費者（以後、包装体３´の側方下側にいる消費者）は視認しやすい。
【０１１１】
なお、説明を省略するが、上向きの側方突出傾斜面部２３を備えず、下向きの側方突出傾斜面部２３を備える構成例も本考案の範囲である。
【０１１２】
（変形例）
図１３は、図１１に示した包装資材６の幾つかの変形例を説明するための前面図である。
【０１１３】
図１１には、図１３の（ａ）のように、側方突出部２０の側方突出傾斜面部２３の上端が、本体部１０の上端と、ＸＹ平面に整列している構成例を示したが、本実施形態に係る包装資材６の構成例はこれに限らない。例えば、図１３の（ｂ）のように、側方突出傾斜面部２３の上端が、本体部１０の上端とＸＹ平面に整列しておらず、離れていてもよい。また、例えば、図１３の（ｃ）のように、側方突出傾斜面部２３の上端が本体部１０の上端とＸＹ平面に整列していると共に、側方突出傾斜面部２３の下端も本体部１０の下端とＸＹ平面に整列していてもよい。
【０１１４】
図１１には、図１３の（ａ）のように、側方突出部２０の前方（Ｘ方向）から見たときの形状（すなわち、側方突出前面部２１の形状）が、三角形である構成例を示したが、本実施形態に係る包装資材６の構成例はこれに限らない。
【０１１５】
側方突出部２０の前方から見たときの形状は、上向きの側方突出傾斜面部２３と下向きの側方突出傾斜面部２３とを設けることができる形状であれば、どのような形状であってもよい。例えば、図１３の（ｄ）〜（ｆ）のような四角形であっても、図１３の（ｇ）〜（ｉ）のような半円形であってもよい。
【０１１６】
〔実施形態３〕
本考案のさらに別の一実施形態について、図１４〜図１５に基づいて説明すれば、以下のとおりである。
【０１１７】
なお、説明の便宜上、前記実施形態にて説明した部材と同じ機能を有する部材については、同じ符号を付記し、その説明を省略する。
【０１１８】
図１４は、斜め前方上側から見た、本実施形態に係る包装資材７の概略構成を示す斜視図である。
【０１１９】
図１５は、斜め前方上側から見た、図１４に示した包装資材７によって衣料品２が包装された包装体３´´を、ハンガー５によって陳列棒４に複数吊下げられた状態で、示す斜視図である。
【０１２０】
図１４に示すように、包装資材７は、本体部１０と、本体部１０に突設されたＺ方向に突出する上方突出部３０（突出部，第２突出部）と、を備える。
【０１２１】
上方突出部３０は、上方突出前面部３１（突出前面）と上方突出後面部３２と上方突出傾斜面部３３（第２傾斜表示面部）とを備える。なお、説明を省略するが、本実施形態に係る上方突出部３０は、前述の実施形態１および２に係る側方突出部２０と同様に、種々の変形が可能である。
【０１２２】
上方突出前面部３１は、扇形である。また、上方突出前面部３１は、本体前面部１１と面一に連続するので、上方突出前面部３１および本体前面部１１の表面は、１つの表示面として活用されることができる。
【０１２３】
同様に、上方突出後面部３２も、扇形である。また、上方突出後面部３２も、本体後面部１２と面一に連続するので、上方突出後面部３２および本体後面部１２の表面は、１つの表示面として活用されることができる。
【０１２４】
上方突出傾斜面部３３は、矩形である。また、上方突出傾斜面部３３は、ＸＹ平面に対して斜めなので、包装体３が吊下げられた状態において、水平面に対して斜めである。
【０１２５】
図１４に示される上方突出傾斜面部３３は、包装体３´´が吊下げられた状態において、その表面を側方（Ｙ方向）の斜め上方に向ける。実施形態１で上述したように、包装体３´´は、消費者の目線よりも下側に吊下げられることが多いので、上方突出傾斜面部３３は、消費者から斜めに見下ろされることが多い。このため、側方突出傾斜面部２３の表示と同様に、本体上面部１３または本体側面部１４の表示よりも、上方突出傾斜面部３３の表示は、包装体３´´の側方にいると共に上方突出部３０よりも目が上側にある消費者（以後、包装体３´´の側方上側にいる消費者）から視認されやすい。
【０１２６】
さらに、同様に、上方突出傾斜面部３３が水平面から傾斜する角度は、３０°〜６０°の範囲にあることが好ましく、４０°〜５０°の範囲にあることがより好ましい。
【０１２７】
また、同様に、図１５のような場合に、隣の別の包装体によって消費者から隠されないので、本体部を切り欠いて設けられた傾斜面部の表示よりも、本体部１０に突設された上方突出部３０が備える上方突出傾斜面部３３の表示は、包装体３´´の側方上側にいる消費者から視認されやすい。
【０１２８】
また、図１４に示される上方突出傾斜面部３３は、本体側面部１４と連続する。このため、包装体３´´の側方上側にいる消費者は、本体側面部１４を、上方突出傾斜面部３３と一体に視認されることができる。したがって、上方突出傾斜面部３３および本体側面部１４は、１つの表示面として活用されることができる。
【０１２９】
また、図１４に示される上方突出傾斜面部３３は、本体上面部１３を死角に隠さない。具体的には、上方突出傾斜面部３３に直交する方向から見たときに、本体上面部１３は、上方突出傾斜面部３３と重畳せずに、接触または分離している。このため、消費者は、本体上面部１３の表示を見落とし難い。なお、上方突出傾斜面部３３に直交する方向から見たときに、本体上面部１３が、上方突出傾斜面部３３と重畳する構成であっても、重畳する部分を除いて、本体上面部１３の表面を表示面として活用すれば、同様に、消費者は、本体上面部１３の表示を見落とし難い。
【０１３０】
また、図１４に示される上方突出部３０の上方突出傾斜面部３３の右端（鉤状部５１が閉じている側の一端、Ｘ方向の一方側の一端）は、本体部１０の右端（鉤状部５１が閉じている側の一端、Ｘ方向の一方側の一端）と、ＹＺ平面に整列している。このため、上方突出傾斜面部３３の右端が本体部１０の右端よりも左側にある構成と比較して、上方突出傾斜面部３３が、陳列棒４から離れて、消費者に近づく。したがって、上方突出傾斜面部３３が陳列棒４の影に隠れにくくなり、消費者の目に大きく見えるようになるので好ましい。また、上方突出傾斜面部３３の右端が本体部１０の右端よりも右側にある構成と比較して、上方突出部３０と本体部１０との一体度が高い。したがって、上方突出部３０の機械的強度および審美性を向上することができるので好ましい。
【０１３１】
上方突出傾斜面部３３に表示される関連情報には、例えば、スパッツの場合、サイズ、厚さ、丈、マチの有無、および、起毛の有無などがある。
【０１３２】
なお、上方突出部３０も、本体部１０と別のパーツとして組み立てられてもよい。
【０１３３】
〔実施形態４〕
本考案のさらに別の一実施形態について、図１６に基づいて説明すれば、以下のとおりである。
【０１３４】
なお、説明の便宜上、前記実施形態にて説明した部材と同じ機能を有する部材については、同じ符号を付記し、その説明を省略する。
【０１３５】
図１６は、斜め前方上側から見た、本実施形態に係る包装資材８の概略構成を示す斜視図である。
【０１３６】
図１７は、斜め前方上側から見た、図１６に示した包装資材８によって衣料品２が包装された包装体３´´´を、ハンガー５によって陳列棒４に吊下げられた状態で、示す斜視図である。
【０１３７】
図１６に示すように、包装資材８は、本体部１０と、側方突出部２０と、上方突出部３０とを備える。図１６に示される側方突出部２０は、下向きの側方突出傾斜面部２３を備えないが、備えてもよい。
【０１３８】
上向きの側方突出傾斜面部２３と、上向きの上方突出傾斜面部３３とは、連続することが好ましい。なぜならば、連続している場合、包装体３´´´の側方にいると共に側方突出部２０および上方突出部３０よりも目が上側にある消費者（以後、包装体３´´´の側方上側にいる消費者）以後、に一体に視認されるので、１つの表示面として活用されることができるからである。上向きの側方突出傾斜面部２３と、上向きの上方突出傾斜面部３３とは、面一に連続することがさらに好ましい。なぜならば、さらに一体化するので、１つの表示面としてより活用されることができるからである。
【０１３９】
これにより、図１７のように、包装体３´´´が陳列棒４に掛けられた状態で、包装体３´´´の側方上側にいる消費者は、側方突出傾斜面部２３と上方突出傾斜面部３３との表示を視認しやすい。
【０１４０】
〔まとめ〕
本考案の態様１に係る包装資材（１，６，８）は、陳列棒（４）に吊下げられる物品（衣料品２）を包装するための本体部（１０）と、前記本体部に突設された突出部（側方突出部２０，上方突出部３０）と、を備える包装資材（１，６，８）であって、前記突出部は、前記物品が吊下げられた状態において水平であると共に前記物品の厚み方向に直交する第１方向（Ｙ方向）に突出する第１突出部（側方突出部２０）を含み、前記第１突出部は、前記物品の関連情報を表示するための、前記物品が吊下げられた状態における水平面（ＸＹ平面）に対して斜めの第１傾斜表示面部（側方突出傾斜面部２３）を備える構成である。
【０１４１】
上記構成によれば、包装資材は、水平であると共に厚み方向に直交する第１方向に突出するように、本体部に突設された第１突出部を備える。第１突出部を備えない包装資材で包装された物品と、第１突出部を備える上記構成の包装資材で包装された物品と、が同じ陳列棒に掛けられた場合、第１突出部は、重なり合った物品から水平方向に飛び出して見える。このため、上記構成の包装資材の方が、物品の厚み方向（物品の前方および後方）および第１方向の第１突出部が突出している側（物品の側方）にいる消費者に視認されやすい。
【０１４２】
上記構成によれば、第１突出部は、物品の関連情報を表示するための、水平面に対し斜めの第１傾斜表示面部を備える。物品は、通常、消費者の目よりも上または下に、吊下げられる。このため、水平面および鉛直面よりも、このような第１傾斜表示面部は、消費者の目線に対して直角に近いので、物品の側方にいる消費者は、水平または鉛直な表示面部の表示よりも、第１傾斜表示面部の表示を視認しやすい。
【０１４３】
したがって、上記構成によれば、物品の側方にいる消費者が表示を視認しやすい包装資材を実現することができる。
【０１４４】
本考案の態様２に係る包装資材は、上記の態様１において、前記物品（衣料品２）が吊下げられた状態において鉛直である第２方向（Ｚ方向）の一方側（上側）の前記第１傾斜表示面部（側方突出傾斜面部２３）の一端（上端）は、前記第２方向の前記一方側の前記本体部（１０）の一端（上端）と、前記物品が吊下げられた状態における水平面（ＸＹ平面）に整列する構成としてもよい。
【０１４５】
上記構成によれば、第２方向の一方側の第１傾斜表示面部の一端は、第２方向の前記一方側の本体部の一端と、同一水平面に整列する。このため、第１傾斜表示面部の該一端よりも、本体部の該一端が、第２方向の前記一方側にある場合と比較して、第１斜表示面部が消費者の目に近づき、大きく見えるようになるので、消費者は、第１斜表示面部の表示を視認しやすい。また、第１傾斜表示面部の該一端が、本体部の該一端よりも、第２方向の前記一方側にある場合と比較して、第１突出部と本体部との一体度が高いので、第１突出部の機械的強度および審美性を向上することができる。
【０１４６】
したがって、上記構成によれば、消費者が表示をさらに視認しやすい包装資材を実現することができる。
【０１４７】
本考案の態様３に係る包装資材は、上記の態様２において、前記第２方向（Ｚ方向）の前記第１突出部（側方突出部２０）の両端（上下両端）はそれぞれ、前記第２方向の前記本体部の両端（上下両端）と、前記物品が吊下げられた状態における水平面（ＸＹ平面）に整列する構成としてもよい。
【０１４８】
上記構成によれば、第２方向の第１突出部の両端はそれぞれ、第２方向の本体部の両端と、同一水平面に整列する。このため、両端または一端が整列しない場合と比較して、第１突出部と本体部との一体度が高いので、第１突出部の機械的強度および審美性を向上することができる。
【０１４９】
本考案の態様４に係る包装資材（１，６，８）は、上記の態様１または２において、
前記本体部（１０）は、前記物品の関連情報を表示するための、前記物品が吊下げられた状態において鉛直であると共に、前記第１傾斜表示面部（側方突出傾斜面部２３）に垂直な方向から見て前記第１傾斜表示面部と接触または分離している鉛直表示面部（本体側面部１４）を含む構成としてもよい。
【０１５０】
上記構成によれば、本体部は、物品の関連情報を表示するための鉛直表示面部を含み、鉛直表示面は、物品が吊下げられた状態において鉛直であると共に、第１傾斜表示面部に垂直な方向から見て第１傾斜表示面部と接触または分離している。このため鉛直表示面部は、第１傾斜表示面部に垂直な方向から見て、第１傾斜表示面部に隠れない。
【０１５１】
本考案の態様５に係る包装資材（１，６）は、上記の態様１〜４の何れか１態様において、前記本体部（１０）は、前記物品の関連情報を表示するための、前記物品が吊下げられた状態において水平であると共に、前記第１傾斜表示面部（側方突出傾斜面部２３）と連続する水平表示面部（本体上面部１３）を含む構成としてもよい。
【０１５２】
上記構成によれば、本体部は、前記物品の関連情報を表示するための水平表示面部をふくみ、水平表示面部は、物品が吊下げられた状態において水平であると共に、第１傾斜表示面部と連続する。このため、第１傾斜表示面部と水平表示面部とは、１つの表示面部として機能することができる。これにより、物品の側方にいる消費者が視認しやすい、広い表示面部を確保することができる。
【０１５３】
本考案の態様６に係る包装資材（８）は、上記の態様１〜４の何れか１態様において、前記突出部（側方突出部２０，上方突出部３０）は、さらに、前記物品が吊下げられた状態において鉛直である第２方向（Ｚ方向）に突出する第２突出部（上方突出部３０）を含み、前記第２突出部は、前記物品の関連情報を表示するための、前記物品が吊下げられた状態における水平面（ＸＹ平面）に対して斜めの第２傾斜表示面部（上方突出傾斜面部３３）を備え、前記第１方向（Ｘ方向）の一方側（鉤状部５１が閉じている側，右側）の前記第２傾斜表示面部の一端（右端）は、前記第１方向の前記一方側の前記本体部（１０）の一端（右端）と、前記物品が吊下げられた状態における鉛直面（ＹＺ平面）に整列する構成としてもよい。
【０１５４】
上記構成によれば、包装資材は、さらに、鉛直である第２方向に突出するように、本体部に突設された第２突出部を備える。第２突出部を備えない包装資材で包装された物品と、第２突出部を備える上記構成の包装資材で包装された物品と、が同じ陳列棒に掛けられた場合、第２突出部は、重なり合った物品から鉛直方向に飛び出して見える。このため、上記構成の包装資材の方が、物品の厚み方向（物品の前方および後方）および第１方向の第１突出部が突出している側（物品の側方）にいる消費者に視認されやすい。
【０１５５】
上記構成によれば、第２突出部は、物品の関連情報を表示するための、水平面に対し斜めの第２傾斜表示面部を備える。物品は、通常、消費者の目よりも上または下に、吊下げられる。このため、水平面および垂直面よりも、このような第２傾斜表示面部は、消費者の目線に対して直角に近いので、物品の側方にいる消費者は、水平または鉛直な表示面部の表示よりも、第２傾斜表示面部の表示を視認しやすい。
【０１５６】
さらに、上記構成によれば、第１方向の一方側の第２傾斜表示面部の一端は、第１方向の前記一方側の本体部の一端と、同一鉛直面に整列する。このため、第２傾斜表示面部の該一端よりも、本体部の該一端が、第１方向の前記一方側にある場合と比較して、第２斜表示面部が消費者の目に近づき、大きく見えるようになるので、物品の側方にいる消費者は、第２斜表示面部の表示を視認しやすい。また、第２傾斜表示面部の該一端が、本体部の該一端よりも、第１方向の前記一方側にある場合と比較して、第２突出部と本体部との一体度が高いので、第２突出部の機械的強度および審美性を向上することができる。
【０１５７】
したがって、上記構成によれば、消費者が表示をさらに視認しやすい包装資材を実現することができる。
【０１５８】
本考案の態様７に係る包装資材（７，８）は、陳列棒（４）に吊下げられる物品（衣料品２）を包装するための本体部（１０）と、前記本体部に突設された突出部（側方突出部２０，上方突出部３０）と、を備える包装資材であって、前記突出部は、前記物品が吊下げられた状態において鉛直である第２方向（Ｚ方向）に突出する第２突出部（上方突出部３０）を含み、前記第２突出部は、前記物品の関連情報を表示するための、前記物品が吊下げられた状態における水平面（ＸＹ平面）に対して斜めの第２傾斜表示面部（上方突出傾斜面部３３）を備え、前記物品が吊下げられた状態において水平であると共に前記物品の厚み方向に直交する第１方向（Ｘ方向）の一方側（鉤状部５１が閉じている側，右側）の前記第２傾斜表示面部の一端（右端）は、前記第１方向の前記一方側の前記本体部の一端（右端）と、前記物品が吊下げられた状態における鉛直面（ＹＺ平面）に整列する構成である。
【０１５９】
上記構成によれば、包装資材は、鉛直である第２方向に突出するように、本体部に突設された第２突出部を備える。第２突出部を備えない包装資材で包装された物品と、第２突出部を備える上記構成の包装資材で包装された物品と、が同じ陳列棒に掛けられた場合、第２突出部は、重なり合った物品から鉛直方向に飛び出して見える。このため、上記構成の包装資材の方が、物品の厚み方向（物品の前方および後方）および第１方向の第１突出部が突出している側（物品の側方）にいる消費者に視認されやすい。
【０１６０】
上記構成によれば、第２突出部は、物品の関連情報を表示するための、水平面に対し斜めの第２傾斜表示面部を備える。物品は、通常、消費者の目よりも上または下に、吊下げられる。このため、水平面および垂直面よりも、このような第２傾斜表示面部は、消費者の目線に対して直角に近いので、物品の側方にいる消費者は、水平または鉛直な表示面部の表示よりも、第２傾斜表示面部の表示を視認しやすい。
【０１６１】
したがって、上記構成によれば、消費者が表示を視認しやすい包装資材を実現することができる。
【０１６２】
さらに、上記構成によれば、第１方向の一方側の第２傾斜表示面部の一端は、第１方向の前記一方側の本体部の一端と、同一鉛直面に整列する。このため、第２傾斜表示面部の該一端よりも、本体部の該一端が、第１方向の前記一方側にある場合と比較して、第２斜表示面部が消費者の目に近づき、大きく見えるようになるので、物品の側方にいる消費者は、第２斜表示面部の表示を視認しやすい。また、第２傾斜表示面部の該一端が、本体部の該一端よりも、第１方向の前記一方側にある場合と比較して、第２突出部と本体部との一体度が高いので、第２突出部の機械的強度および審美性を向上することができる。
【０１６３】
したがって、上記構成によれば、物品の側方にいる消費者が表示をさらに視認しやすい包装資材を実現することができる。
【０１６４】
本考案の態様８に係る包装資材（１，６，７，８）は、上記の態様１〜７の何れか１態様において、前記本体部（１０）は、前記物品（衣料品２）の前面の一部または全部を覆う本体前面部（１１）を備え、前記突出部（側方突出部２０，上方突出部３０）は、前記本体前面部と面一に、前記本体前面部と連続するまたは部分的に重畳する突出前面部（側方突出前面部２１，上方突出前面部３１）を備える構成としてもよい。
【０１６５】
上記構成によれば、本体部は、物品の前面の一部または全部を覆う本体前面部を備え、突出部は、前記本体前面部と面一に、前記本体前面部と連続するまたは部分的に重畳する突出前面部を備える。消費者が前面から物品を見たときに、包装材の本体部と突出部とが面一に、隙間がないように見える。このため、包装材の審美性を向上することができる。さらに、本体前面部と突出前面部とは、１つの表示面部として機能することができる。
【０１６６】
本考案の態様９に係る包装体（３，３´，３´´，３´´´）は、上記の態様１〜８の何れか１態様における包装資材（１，６，７，８）により、前記物品（衣料品２）が包装された構成としてもよい。
【０１６７】
上記構成によれば、上記態様１〜８の何れか１態様における包装資材により、物品が包装された包装体を実現することができる。
【０１６８】
本考案は上述した各実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【符号の説明】
【０１６９】
１，６，７，８  包装資材
２  衣料品（物品）
３，３´，３´´，３´´´  包装体
４  陳列棒
５  ハンガー（吊下げ具）
１０  本体部
１１  本体前面部
１２  本体後面部
１３  本体上面部（水平表示面部）
１４  本体側面部（鉛直表示面部）
１５  本体切欠き部
１６  本体側面係止部
１６ａ  爪
１６ｂ  スリット
２０  側方突出部（突出部，第１突出部）
２１  側方突出前面部
２２  側方突出後面部
２３  側方突出傾斜面部（第１傾斜表示面部）
２４  側方突出係止部
２４ａ  爪
２４ｂ  スリット
３０  上方突出部
３１  上方突出前面部
３２  上方突出後面部
３３  上方突出傾斜面部（第２傾斜表示面部）
５１  鉤状部
５２  棒状部
５３  左噛合部
５３ａ  前部
５３ｂ  後部
５３ｃ  ロック部
５４  右噛合部
５４ａ  前部
５４ｂ  後部
５４ｃ  ロック部
５５  クッション材
【図１】
0003210480.tif 000003
【図２】
0003210480.tif 000004
【図３】
0003210480.tif 000005
【図４】
0003210480.tif 000006
【図５】
0003210480.tif 000007
【図６】
0003210480.tif 000008
【図７】
0003210480.tif 000009
【図８】
0003210480.tif 000010
【図９】
0003210480.tif 000011
【図１０】
0003210480.tif 000012
【図１１】
0003210480.tif 000013
【図１２】
0003210480.tif 000014
【図１３】
0003210480.tif 000015
【図１４】
0003210480.tif 000016
【図１５】
0003210480.tif 000017
【図１６】
0003210480.tif 000018
【図１７】
0003210480.tif 000019